(57)【要約】【課題】信号光と迷光とを含む光束から信号光を効率良く抽出する。【解決手段】偏光ビームスプリッタ５４で−Ｚ方向に分岐された戻り光束は、集光レンズ６１で収束光となり、遮蔽板６２に入射する。信号光は、その大部分が遮蔽板６２及び遮蔽板６３のいずれも透過し、検出レンズ５８で集光され、受光器５９で受光される。迷光は、対象記録層が記録層Ｌ０の場合には、遮蔽板６２の遮光部６２ａによって遮光され、対象記録層が記録層Ｌ１の場合には、遮蔽板６３の遮光部６３ａによって遮光される。このように、戻り光束に含まれる信号光のみが受光器５９で受光されるため、受光器５９からは、Ｓ／Ｎ比の高い光電変換信号が出力されることとなる。【選択図】図１２
2009070437.tif 000002
【特許請求の範囲】
【請求項１】
信号光と迷光とが含まれる光束から前記信号光を抽出する抽出光学系であって、
前記光束を集光する第１光学素子と；
前記信号光の集光位置と前記第１光学素子との間にある迷光の集光位置に配置され、該集光位置での迷光のビームスポットと同程度の大きさの遮光領域と、該遮光領域の周囲に設けられた透過領域とを有する第２光学素子と；
前記信号光の集光位置に対して前記第１光学素子と反対側にある迷光の集光位置に配置され、該集光位置での迷光のビームスポットと同程度の大きさの遮光領域と、該遮光領域の周囲に設けられた透過領域とを有する第３光学素子と；を備える抽出光学系。
【請求項２】
信号光と迷光とが含まれる光束から前記信号光を抽出する抽出光学系であって、
前記光束を集光する第１光学素子と；
前記信号光の集光位置と前記第１光学素子との間にある迷光の集光位置に配置され、該集光位置での迷光のビームスポットと同程度の大きさの第１の領域と、該第１の領域の周囲に設けられた第２の領域とを有する第２光学素子と；
前記信号光の集光位置に対して前記第１光学素子と反対側にある迷光の集光位置に配置され、該集光位置での迷光のビームスポットと同程度の大きさの第１の領域と、該第１の領域の周囲に設けられた第２の領域とを有する第３光学素子と；
前記第３光学素子を透過した光束の光路上に配置された検光子と；を備え、
前記第２光学素子の第１の領域と前記第３光学素子の第２の領域とによって付与される光学的位相差は、前記第２光学素子の第２の領域と前記第３光学素子の第１の領域とによって付与される光学的位相差と等しく、かつ前記第２光学素子の第２の領域と前記第３光学素子の第２の領域とによって付与される光学的位相差と異なることを特徴とする抽出光学系。
【請求項３】
前記第２光学素子及び前記第３光学素子の第１の領域は、いずれも１／２波長の光学的位相差を付与し、前記第２光学素子及び前記第３光学素子の第２の領域は、いずれも光学的位相差を付与しないかあるいはｎ波長（ｎは整数）の光学的位相差を付与することを特徴とする請求項２に記載の抽出光学系。
【請求項４】
前記第２光学素子及び前記第３光学素子の第２の領域は、いずれも１／２波長の光学的位相差を付与し、前記第２光学素子及び前記第３光学素子の第１の領域は、いずれも光学的位相差を付与しないかあるいはｎ波長（ｎは整数）の光学的位相差を付与することを特徴とする請求項２に記載の抽出光学系。
【請求項５】
前記第２光学素子の第１の領域は、＋１／４波長の光学的位相差を付与し、前記第２光学素子の第２の領域は、−１／４波長の光学的位相差を付与し、
前記第３光学素子の第１の領域は、−１／４波長の光学的位相差を付与し、前記第３光学素子の第２の領域は、＋１／４波長の光学的位相差を付与することを特徴とする請求項２に記載の抽出光学系。
【請求項６】
前記信号光と迷光とが含まれる光束は、複数の記録層を有する光ディスクからの対物レンズを介した光束であり、
前記第２光学素子と前記第３光学素子の間隔Ｌは、前記対物レンズの焦点距離ｆ１、前記第１光学素子の焦点距離ｆ２、前記複数の記録層における記録層間隔Δ、前記複数の記録層における記録層間の媒質の屈折率ｎを用いて、Ｌ＝４・（Δ／ｎ）・（ｆ２／ｆ１）２を満足することを特徴とする請求項１〜５のいずれか一項に記載の抽出光学系。
【請求項７】
前記第２光学素子と前記第３光学素子は前記間隔Ｌで、一体的に保持されていることを特徴とする請求項６に記載の抽出光学系。
【請求項８】
前記信号光と迷光とが含まれる光束は、複数の記録層を有する光ディスクからの対物レンズを介した光束であり、
前記第２光学素子及び前記第３光学素子の第１の領域は、前記対物レンズのトラッキング方向に対応する方向を長手方向とする長方形、あるいは前記トラッキング方向に対応する方向を長軸方向とする楕円形であることを特徴とする請求項１〜７のいずれか一項に記載の抽出光学系。
【請求項９】
複数の記録層を有する光ディスクに光束を照射し、前記光ディスクからの反射光を受光する光ピックアップ装置であって、
光源と；
前記光源から射出された光束を前記複数の記録層のうちアクセス対象の記録層に集光する対物レンズと；
前記光ディスクで反射され前記対物レンズを介した戻り光束の光路上に配置され、前記アクセス対象の記録層で反射された反射光を信号光とし、前記複数の記録層のうち前記アクセス対象の記録層以外の記録層で反射された反射光を迷光とし、前記戻り光束から前記信号光を抽出する請求項１〜８のいずれか一項に記載の抽出光学系と；
前記抽出光学系で抽出された前記信号光を受光し、受光量に応じた信号を生成する光検出器と；を備える光ピックアップ装置。
【請求項１０】
複数の記録層を有する光ディスクに対して、情報の記録、再生及び消去のうち少なくとも再生が可能な光ディスク装置であって、
請求項９に記載の光ピックアップ装置と；
前記光ピックアップ装置の光検出器の出力信号を用いて、前記光ディスクに記録されている情報の再生を行なう処理装置と；を備える光ディスク装置。
【請求項１１】
請求項１０に記載の光ディスク装置と；
前記光ディスク装置を制御する制御装置と；を備える情報処理装置。
【発明の詳細な説明】
【技術分野】
【０００１】
本発明は、抽出光学系、光ピックアップ装置、光ディスク装置及び情報処理装置に係り、さらに詳しくは、信号光と迷光とが含まれる光束から信号光を抽出する抽出光学系、該抽出光学系を有する光ピックアップ装置、該光ピックアップ装置を備えた光ディスク装置及び該光ディスク装置を備えた情報処理装置に関する。
【背景技術】
【０００２】
近年、デジタル技術の進歩及びデータ圧縮技術の向上に伴い、音楽、映画、写真及びコンピュータソフトなどの情報（以下「コンテンツ」ともいう）を記録するための媒体として、ＤＶＤ（ｄｉｇｉｔａｌ  ｖｅｒｓａｔｉｌｅ  ｄｉｓｃ）などの光ディスクが注目されるようになり、その低価格化とともに、光ディスクを情報記録の対象媒体とする光ディスク装置が普及するようになった。
【０００３】
ところで、コンテンツの情報量は、年々増加する傾向にあり、光ディスクの記録容量の更なる増加が期待されている。そこで、光ディスクの記録容量を増加させる手段の一つとして、記録層の多層化が考えられ、複数の記録層を有する光ディスク（以下「多層ディスク」ともいう）及び該多層ディスクをアクセス対象とする光ディスク装置の開発が盛んに行われている。
【０００４】
多層ディスクでは、記録層と記録層との間隔が広いと、球面収差の影響により目的とする記録層からの信号が劣化するおそれがあるため、記録層と記録層との間隔を狭くする傾向にある。しかしながら、記録層と記録層との間隔が狭くなると、いわゆる層間クロストークにより、多層ディスクからの戻り光束には、目的とする記録層での反射光（以下「信号光」ともいう）だけでなく、目的とする記録層以外の記録層での反射光（以下「迷光」ともいう）も高いレベルで含まれることとなる．
【０００５】
そこで、多層ディスクを再生するときに、層間クロストークを低減させる装置が提案された（例えば、特許文献１参照）。
【０００６】
ところで、従来の光ピックアップはで、光ディスクの偏芯に追従するために、差動プッシュプル法を用いたトラッキング法が使われている（例えば、非特許文献１参照）。差動プッシュプル法は、光源からの光束を３ビームに分割して光ディスクに照射し、光ディスクで反射した光束を光検出器で検出する方法である。
【０００７】
また、多層ディスクを再生する際に差動プッシュプル法を用いると、光量の小さい信号と光量の大きい迷光とが光検出器の受光面上で干渉し、コヒーレントクロストークを引き起こすことが知られている（例えば、非特許文献２参照）。
【０００８】
【特許文献１】特許第２６２４２５５号公報
【非特許文献１】大里  潔、「新しいトラッキングサーボ方式  差動プッシュプル法」、光メモリシンポジウム’８６、１９８６年、東京、ｐ１２７−ｐ１３２
【非特許文献２】Ａｌｅｘａｎｄｅｒ  ｖａｎ  ｄｅｒ  Ｌｅｅ、Ｅｒｗｉｎ  Ａｌｔｅｗｉｓｃｈｅｒ、「Ｄｒｉｖｅ  ｃｏｎｓｉｄｅｒａｔｉｏｎｓ  ｆｏｒ  ｍｕｌｔｉｌａｙｅｒ  ｄｉｓｃｓ」、ＩＳＯＭ２００６、Ｔｅｃｈｎｉｃａｌ  Ｄｉｇｅｓｔ、Ｍｏ−Ｃ−０５
【発明の開示】
【発明が解決しようとする課題】
【０００９】
今後、多層ディスクにおける記録層の数が増加し、それに伴って、記録層と記録層との間隔が更に狭くなることが予想される。そこで、光検出器で受光される光束に含まれる迷光の更なる低減が望まれている。しかしながら、特許文献１に開示されている装置では、検出器に入射する迷光を更に減少させるには、ピンホールの径を更に小さくする必要があるため、検出器に入射する信号光も減少するという不都合があった。
【００１０】
本発明は、かかる事情の下になされたもので、その第１の目的は、信号光と迷光とが含まれる光束から信号光を効率良く抽出することができる抽出光学系を提供することにある。
【００１１】
また、本発明の第２の目的は、複数の記録層を有する光ディスクから所望の信号を精度良く取得することができる光ピックアップ装置を提供することにある。
【００１２】
また、本発明の第３の目的は、複数の記録層を有する光ディスクからの情報の再生を精度良く行うことができる光ディスク装置を提供することにある。
【００１３】
また、本発明の第４の目的は、複数の記録層を有する光ディスクに対して、安定したアクセスを行うことができる情報処理装置を提供することにある。
【課題を解決するための手段】
【００１４】
本発明は、第１の観点からすると、信号光と迷光とが含まれる光束から前記信号光を抽出する抽出光学系であって、前記光束を集光する第１光学素子と；前記信号光の集光位置と前記第１光学素子との間にある迷光の集光位置に配置され、該集光位置での迷光のビームスポットと同程度の大きさの遮光領域と、該遮光領域の周囲に設けられた透過領域とを有する第２光学素子と；前記信号光の集光位置に対して前記第１光学素子と反対側にある迷光の集光位置に配置され、該集光位置での迷光のビームスポットと同程度の大きさの遮光領域と、該遮光領域の周囲に設けられた透過領域とを有する第３光学素子と；を備える第１の抽出光学系である。
【００１５】
これによれば、信号光と迷光とが含まれる光束は第１光学素子で集光され、信号光の集光位置と第１光学素子との間で集光する迷光は第２光学素子の遮光領域で遮光され、信号光の集光位置に対して第１光学素子と反対側に集光する迷光は、第３光学素子の遮光領域で遮光される。従って、信号光と迷光とが含まれる光束から信号光を効率良く抽出することが可能となる。
【００１６】
本発明は、第２の観点からすると、信号光と迷光とが含まれる光束から前記信号光を抽出する抽出光学系であって、前記光束を集光する第１光学素子と；前記信号光の集光位置と前記第１光学素子との間にある迷光の集光位置に配置され、該集光位置での迷光のビームスポットと同程度の大きさの第１の領域と、該第１の領域の周囲に設けられた第２の領域とを有する第２光学素子と；前記信号光の集光位置に対して前記第１光学素子と反対側にある迷光の集光位置に配置され、該集光位置での迷光のビームスポットと同程度の大きさの第１の領域と、該第１の領域の周囲に設けられた第２の領域とを有する第３光学素子と；前記第３光学素子を透過した光束の光路上に配置された検光子と；を備え、前記第２光学素子の第１の領域と前記第３光学素子の第２の領域とによって付与される光学的位相差は、前記第２光学素子の第２の領域と前記第３光学素子の第１の領域とによって付与される光学的位相差と等しく、かつ前記第２光学素子の第２の領域と前記第３光学素子の第２の領域とによって付与される光学的位相差と異なることを特徴とする第２の抽出光学系である。
【００１７】
これによれば、信号光と迷光とが含まれる光束は第１光学素子で集光され、第２光学素子と第３光学素子とによって信号光と迷光の偏光状態が互いに異なる状態とされる。そこで、検光子によって信号光のみを透過させることができる。従って、信号光と迷光とが含まれる光束から信号光を効率良く抽出することが可能となる。
【００１８】
本発明は、第３の観点からすると、複数の記録層を有する光ディスクに光束を照射し、前記光ディスクからの反射光を受光する光ピックアップ装置であって、光源と；前記光源から射出された光束を前記複数の記録層のうちアクセス対象の記録層に集光する対物レンズと；前記光ディスクで反射され前記対物レンズを介した戻り光束の光路上に配置され、前記アクセス対象の記録層で反射された反射光を信号光とし、前記複数の記録層のうち前記アクセス対象の記録層以外の記録層で反射された反射光を迷光とし、前記戻り光束から前記信号光を抽出する本発明の抽出光学系と；前記抽出光学系で抽出された前記信号光を受光し、受光量に応じた信号を生成する光検出器と；を備える光ピックアップ装置である。
【００１９】
これによれば、本発明の抽出光学系を備えているため、迷光が極めて少ない戻り光束が光検出器で受光される。従って、複数の記録層を有する光ディスクから所望の信号を精度良く取得することが可能となる。
【００２０】
本発明は、第４の観点からすると、複数の記録層を有する光ディスクに対して、情報の記録、再生及び消去のうち少なくとも再生が可能な光ディスク装置であって、本発明の光ピックアップ装置と；前記光ピックアップ装置の光検出器の出力信号を用いて、前記光ディスクに記録されている情報の再生を行なう処理装置と；を備える光ディスク装置である。
【００２１】
これによれば、本発明の光ピックアップ装置を備えているため、その結果として、複数の記録層を有する光ディスクからの情報の再生を精度良く行うことが可能となる。
【００２２】
本発明は、第５の観点からすると、本発明の光ディスク装置と；前記光ディスク装置を制御する制御装置と；を備える情報処理装置である。
【００２３】
これによれば、本発明の光ディスク装置を備えているため、結果として、複数の記録層を有する光ディスクに対して、安定したアクセスを行うことが可能となる。
【発明を実施するための最良の形態】
【００２４】
以下、本発明の一実施形態を図１〜図１８に基づいて説明する。図１には、本発明の一実施形態に係る光ディスク装置２０の概略構成が示されている。
【００２５】
この図１に示される光ディスク装置２０は、光ディスク１５を回転駆動するためのスピンドルモータ２２、光ピックアップ装置２３、該光ピックアップ装置２３を光ディスク１５の半径方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、光ディスク装置２０は多層ディスクに対応しているものとする。
【００２６】
光ディスク１５は、一例として図２に示されるように、光束の入射側から順に、基板Ｍ０、記録層Ｌ０、中間層ＭＬ、記録層Ｌ１、基板Ｍ１を有している。また、記録層Ｌ０と中間層ＭＬとの間には金や誘電体などで形成された半透明膜ＭＢ０があり、記録層Ｌ１と基板Ｍ１との間にはアルミニウムなどで形成された反射膜ＭＢ１がある。中間層ＭＬには、照射される光束に対して透過率が高く、基板の屈折率に近い屈折率を有する紫外線硬化型の樹脂材料が用いられている。
【００２７】
すなわち、光ディスク１５は片面２層ディスクである。なお、各記録層にはスパイラル状又は同心円状の案内用の溝を有するトラックが、それぞれ形成されている。そして、光ディスク１５は、記録層Ｌ０が記録層Ｌ１よりも光ピックアップ装置２３に近くなるように光ディスク装置２０にセットされる。そこで、光ディスク１５に入射した光束の一部は半透明膜ＭＢ０で反射され、残りは半透明膜ＭＢ０を透過する。そして、半透明膜ＭＢ０を透過した光束は反射膜ＭＢ１で反射される。ここでは、一例として、光ディスク１５はＨＤ  ＤＶＤ系の情報記録媒体であるものとする。
【００２８】
光ピックアップ装置２３は、光ディスク１５の２つの記録層のうちアクセス対象の記録層（以下、便宜上「対象記録層」と略述する）にレーザ光を照射するとともに、光ディスク１５からの反射光を受光するための装置である。
【００２９】
この光ピックアップ装置２３は、一例として図３に示されるように、光源ユニット５１、カップリングレンズ５２、グレーティング７１、偏光ビームスプリッタ５４、１／４波長板５５、対物レンズ６０、集光レンズ６１、２つの遮蔽板（６２、６３）、検出レンズ５８、受光器５９、及び対物レンズ６０を駆動するための駆動系（図示省略）などを備えている。
【００３０】
光源ユニット５１は、光ディスク１５に対応する波長が約４０５ｎｍのレーザ光を射出する光源としての半導体レーザを含んで構成されている。なお、本実施形態では、光源ユニット５１から出力されるレーザ光の最大強度射出方向を＋Ｘ方向とする。また、一例として、光源ユニット５１からは、偏光ビームスプリッタ５４に対してＰ偏光の光束が出力されるものとする。
【００３１】
この光源ユニット５１の＋Ｘ側には、カップリングレンズ５２が配置され、光源ユニット５１から出力された光束を略平行光とする。
【００３２】
グレーティング７１は、カップリングレンズ５２の＋Ｘ側に配置され、カップリングレンズ５２からの略平行光を０次光、＋１次回折光（以下、便宜上「＋１次光」と略述する）、−１次回折光（以下、便宜上「−１次光」と略述する）の３ビームに分割する。すなわち、グレーティング７１は、入射光を３ビーム化する。ここでは、一例として、グレーティング７１は、入射光の８０％を０次光に、１０％を＋１次光に、１０％を−１次光にするものとする。また、以下では、便宜上、＋１次光と−１次光を合わせて「±１次光」ともいう。
【００３３】
偏光ビームスプリッタ５４は、グレーティング７１の＋Ｘ側に配置されている。この偏光ビームスプリッタ５４は、入射する光束の偏光状態に応じてその反射率が異なっている。ここでは、偏光ビームスプリッタ５４は、Ｐ偏光に対する反射率が小さく、Ｓ偏光に対する反射率が大きくなるように設定されている。すなわち、光源ユニット５１から出力された光束の大部分は、偏光ビームスプリッタ５４を透過することができる。この偏光ビームスプリッタ５４の＋Ｘ側には、１／４波長板５５が配置されている。
【００３４】
この１／４波長板５５は、入射した光束に１／４波長の光学的位相差を付与する。１／４波長板５５の＋Ｘ側には、対物レンズ６０が配置され、１／４波長板５５を透過した光束を対象記録層に集光する。
【００３５】
駆動系は、フォーカシングアクチュエータ及びトラッキングアクチュエータを有している。フォーカシングアクチュエータは、対物レンズ６０の光軸方向であるフォーカス方向に対物レンズ６０を微少駆動するためのアクチュエータである。ここでは、便宜上、対象記録層が記録層Ｌ０のときのフォーカス方向に関する対物レンズ６０の最適位置を「第１レンズ位置」といい、対象記録層が記録層Ｌ１のときのフォーカス方向に関する対物レンズ６０の最適位置を「第２レンズ位置」ということとする。なお、対物レンズ６０が第２レンズ位置にあるときには、第１レンズ位置にあるときよりも、対物レンズ６０と光ディスク１５との間隔は狭くなる（図４（Ａ）及び図４（Ｂ）参照）。
【００３６】
トラッキングアクチュエータは、トラッキング方向に対物レンズ６０を微少駆動するためのアクチュエータである。
【００３７】
ここで、光ディスク１５からの戻り光束について説明する。
【００３８】
対象記録層が記録層Ｌ０のときには、一例として図４（Ａ）に示されるように、対物レンズ６０は第１レンズ位置に位置決めされる。これにより、光源ユニット５１から出射された光束は、対物レンズ６０によって記録層Ｌ０に集光される。そして、半透過膜ＭＢ０で反射された光束は信号光として対物レンズ６０に入射する。一方、半透過膜ＭＢ０を透過した光束は金属反射膜ＭＢ１で反射され、迷光として対物レンズ６０に入射する。
【００３９】
対象記録層が記録層Ｌ１のときには、一例として図４（Ｂ）に示されるように、対物レンズ６０は第２レンズ位置に位置決めされる。これにより、光源ユニット５１から出射された光束は、対物レンズ６０によって記録層Ｌ１に集光される。そして、金属反射膜ＭＢ１で反射された光束は信号光として対物レンズ６０に入射する。一方、半透過膜ＭＢ０で反射された光束は迷光として対物レンズ６０に入射する。
【００４０】
すなわち、対象記録層がいずれの記録層であっても、戻り光束には半透過膜ＭＢ０で反射された光束（以下「第１反射光」ともいう）と金属反射膜ＭＢ１で反射された光束（以下「第２反射光」ともいう）とが含まれることとなる。ここでは、対象記録層が記録層Ｌ０のときには、第１反射光が信号光であり、第２反射光が迷光である。一方、対象記録層が記録層Ｌ１のときには、第２反射光が信号光であり、第１反射光が迷光である。迷光は再生信号処理回路２８で各種信号を検出する際にＳ／Ｎ比を低下させる要因となるため、戻り光束に含まれる信号光のみを抽出する必要がある。
【００４１】
集光レンズ６１は、偏光ビームスプリッタ５４の−Ｚ側に配置され、偏光ビームスプリッタ５４で反射された戻り光束を集光する。
【００４２】
遮蔽板６２は、集光レンズ６１の−Ｚ側で、対象記録層が記録層Ｌ０のときに、記録層Ｌ１からの迷光が集光する位置に配置されている。この遮蔽板６２は、一例として図５に示されるように、遮光部６２ａと透過部６２ｂとを有し、集光レンズ６１の光軸の延長線上に遮光部６２ａが設けられている。また、遮光部６２ａは、入射する記録層Ｌ１からの迷光のビームスポットと同程度の大きさを有している。
【００４３】
遮蔽板６３は、遮蔽板６２の−Ｚ側で、対象記録層が記録層Ｌ１のときに、記録層Ｌ０からの迷光が集光する位置に配置されている。この遮蔽板６３は、一例として図６に示されるように、遮光部６３ａと透過部６３ｂとを有し、集光レンズ６１の光軸の延長線上に遮光部６３ａが設けられている。また、遮光部６３ａは、入射する記録層Ｌ０からの迷光のビームスポットと同程度の大きさを有している。
【００４４】
遮光部６２ａ及び遮光部６３ａは、光学ガラス中に光吸収物質を分散させて作られる吸収型フィルタ、ガラス基板上にクロム膜をコートして作られる反射型フィルタ、及び偏光フィルタなどを用いて形成することができる。
【００４５】
集光レンズ６１で集光された信号光と迷光の集光点について図７を用いて説明する。なお、図７では、説明を分かりやすくするため、光学系は対物レンズ６０と集光レンズ６１のみを図示し、対物レンズ６０の光軸方向をＺ軸方向としている。
【００４６】
信号光の集光位置をＣ、記録層Ｌ０からの迷光の集光位置をＡ、記録層Ｌ１からの迷光の集光位置Ｂとし、ＡＣの間隔をＳ、ＢＣの間隔をＴ、対物レンズ６０の焦点距離をｆ１、集光レンズ６１の焦点距離をｆ２、第１の記録層と第２の記録層の間隔をΔ、中間層ＭＬの屈折率をｎとすると、レンズの縦倍率の関係より、次の（１）式及び（２）式が得られる。
【００４７】
Ｔ＝（２・Δ／ｎ）・（ｆ２／ｆ１）２  ……（１）
Ｓ＝（２・Δ／ｎ）・（ｆ２／ｆ１）２  ……（２）
【００４８】
そこで、遮蔽板６２と遮蔽板６３との間隔Ｌは、次の（３）式が成り立つように設定すれば良い。この場合には、遮蔽板６２と遮蔽板６３の中間位置が信号光の集光位置となる。
【００４９】
Ｌ＝Ｓ＋Ｔ
＝４・（Δ／ｎ）・（ｆ２／ｆ１）２  ……（３）
【００５０】
そこで、一例として図８に示されるように、遮蔽板６２及び遮蔽板６３は、それらの間隔がＬとなるように、保持部材７０により一体的に保持されている。これにより、２枚の遮蔽板を同時に調整することが可能となり、光学系の組み立て時の調整および取り付けを容易にすることができる。
【００５１】
上記間隔Ｌは、光ディスク１５の記録層の間隔Δで決定される。そこで、間隔Δにばらつきがあると、迷光の集光点はＺ軸方向にばらつくこととなる。
【００５２】
迷光の集光点がＺ軸方向にずれた状態で、対物レンズ６０がトラッキングを行うと、分離光学素子６２への迷光の入射位置はトラッキング方向に対応する方向（ここでは、Ｘ軸方向）に移動することになる。
【００５３】
この場合には、一例として図９及び図１０に示されるように、各遮蔽板における遮光部を、トラッキング方向に対応する方向（ここでは、Ｘ軸方向）を長手方向とする長方形、あるいは前記トラッキング方向に対応する方向を長軸方向とする楕円形とすることにより、迷光の集光点がＺ軸方向にずれた状態で、対物レンズ６０がトラッキングを行っても、信号光と迷光とを精度良く分離することができる。
【００５４】
検出レンズ５８は、遮蔽板６３の−Ｚ側に配置され、遮蔽板６３を透過した戻り光束を集光する。
【００５５】
受光器５９は、検出レンズ５８の−Ｚ側に配置されている。この受光器５９は、一例として図１１に示されるように、＋１次光を受光する受光領域５９ａ、０次光を受光する受光領域５９ｂ、−１次光を受光する受光領域５９ｂを有し、再生信号処理回路２８にてＲＦ信号、ウォブル信号及びサーボ信号などを検出するのに適した複数の信号（光電変換信号）を出力する。
【００５６】
上記のように構成される光ピックアップ装置２３の作用を、図１２（対象記録層が記録層Ｌ０の場合）及び図１３（対象記録層が記録層Ｌ１の場合）を用いて説明する。なお、図１２及び図１３では、信号光を実線で示し、迷光を破線で示している。また、±１次光については、煩雑さを避けるため図示を省略している。
【００５７】
光源ユニット５１から出力された直線偏光（ここではＰ偏光）の光束は、カップリングレンズ５２で略平行光となり、グレーティング７１で３ビーム（０次光及び±１次光）化され、偏光ビームスプリッタ５４に入射する。グレーティング７１からの各光束の大部分は偏光ビームスプリッタ５４をそのまま透過し、１／４波長板５５で円偏光とされ、対物レンズ６０を介して光ディスク１５の対象記録層である記録層Ｌ０に３つの微小スポットとして集光される。
【００５８】
「対象記録層が記録層Ｌ０の場合」
光ディスク１５からは、記録層Ｌ０からの信号光と記録層Ｌ１からの迷光とが生じ、これらの光束は、往路とは反対回りの円偏光となり、戻り光束として対物レンズ６０で再び略平行光とされ、１／４波長板５５で往路と直交した直線偏光（ここではＳ偏光）とされる。そして、この戻り光束は偏光ビームスプリッタ５４に入射する。偏光ビームスプリッタ５４に入射した戻り光束は、Ｓ偏光であるため、偏光ビームスプリッタ５４で−Ｚ方向に反射され、信号光が平行光で、迷光が収束光で集光レンズ６１に入射する。
【００５９】
集光レンズ６１からの信号光は、遮蔽板６２に入射する。遮蔽板６２に入射した信号光は、ビームスポットが遮光部６２ａの大きさよりもかなり大きいため、その大部分は遮蔽板６２を透過し、一旦集光したあと発散光として、遮蔽板６３に入射する。遮蔽板６３に入射した信号光は、ビームスポットが遮光部６３ａの大きさよりもかなり大きいため、その大部分は遮蔽板６３を透過し、検出レンズ５８で集光され、受光器５９で受光される。
【００６０】
集光レンズ６１からの迷光は、遮蔽板６２に入射し、遮蔽板６２の遮光部６２ａによって遮光される。
【００６１】
すなわち、戻り光束に含まれる信号光のみが受光器５９で受光されるため、Ｓ／Ｎ比の高い光電変換信号が出力されることとなる。
【００６２】
「対象記録層が記録層Ｌ１の場合」
【００６３】
光ディスク１５からは、記録層Ｌ１からの信号光と記録層Ｌ０からの迷光とが生じ、これらの光束は、往路とは反対回りの円偏光となり、戻り光束として対物レンズ６０で再び略平行光とされ、１／４波長板５５で往路と直交した直線偏光（ここではＳ偏光）とされる。そして、この戻り光束は偏光ビームスプリッタ５４に入射する。偏光ビームスプリッタ５４に入射した戻り光束は、Ｓ偏光であるため、偏光ビームスプリッタ５４で−Ｚ方向に反射され、信号光が平行光で、迷光が発散光で集光レンズ６１に入射する。
【００６４】
集光レンズ６１からの信号光は、対象記録層が記録層Ｌ０の場合と同様にして、受光器５９で受光される。
【００６５】
集光レンズ６１からの迷光は、遮蔽板６２に入射する。遮蔽板６２に入射した迷光は、ビームスポットが遮光部６２ａの大きさよりもかなり大きいため、その大部分は遮蔽板６２を透過し、遮蔽板６３に入射する。遮蔽板６３に入射した迷光は、遮蔽板６３の遮光部６３ａで遮光される。
【００６６】
この場合も、戻り光束に含まれる信号光のみが受光器５９で受光されるため、Ｓ／Ｎ比の高い光電変換信号が出力されることとなる。
【００６７】
図１に戻り、再生信号処理回路２８は、受光器５９の出力信号（複数の光電変換信号）に基づいて、サーボ信号（フォーカスエラー信号やトラックエラー信号など）、アドレス情報、同期情報及びＲＦ信号などを取得する。ここでは、受光器５９からＳ／Ｎ比の高い光電変換信号が出力されるため、サーボ信号、アドレス情報、同期情報及びＲＦ信号などを精度良く取得することができる。
【００６８】
例えば、中間層厚２０μｍの片面２層のＨＤ  ＤＶＤディスクにおいて、受光器５９の出力信号から得られた差動プッシュプル信号の一例が図１４に示されている。なお、比較例として、偏光ビームスプリッタ５４で反射された戻り光束が、直接、検出レンズ５８に入射する場合に、受光器５９の出力信号から得られた差動プッシュプル信号が図１５に示されている。
【００６９】
比較例では、±１次光で生成される差動プッシュプル信号（ＳＰＰ）が迷光の干渉の影響により乱れていることが分かる。一方、本実施形態で得られた差動プッシュプ信号（ＳＰＰ）は、メインプッシュプル信号（ＭＰＰ）と同期しており，非常に精度の良い差動プッシュプル信号が得られている。なお、図１４及び図１５の縦軸は規格化されており、例えば、受光器５９がトラッキング方向に直交する方向の分割線によって２つの受光領域に分割され、各受光領域の出力信号をＳａ、Ｓｂとすると、縦軸は（Ｓａ−Ｓｂ）／（Ｓａ＋Ｓｂ）である。
【００７０】
再生信号処理回路２８で得られたサーボ信号は駆動制御回路２６に出力され、アドレス情報はＣＰＵ４０に出力され、同期信号はエンコーダ２５や駆動制御回路２６などに出力される。さらに、再生信号処理回路２８は、ＲＦ信号に対して復号処理及び誤り検出処理などを行い、誤りが検出されたときには誤り訂正処理を行った後、再生データとしてバッファマネージャ３７を介してバッファＲＡＭ３４に格納する。また、再生データに含まれるアドレス情報はＣＰＵ４０に出力される。
【００７１】
図１に戻り、駆動制御回路２６は、再生信号処理回路２８からのトラックエラー信号に基づいて、トラッキング方向に関する対物レンズ６０の位置ずれを補正するためのトラッキングアクチュエータの駆動信号を生成する。また、駆動制御回路２６は、再生信号処理回路２８からのフォーカスエラー信号に基づいて、対物レンズ６０のフォーカスずれを補正するためのフォーカシングアクチュエータの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００７２】
バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、バッファマネージャ３７によって管理されている。
【００７３】
エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００７４】
レーザ制御回路２４は、光源ユニット５１の半導体レーザの発光パワーを制御する。例えば記録の際には、前記書き込み信号、記録条件、及び半導体レーザの発光特性などに基づいて、半導体レーザの駆動信号がレーザ制御回路２４にて生成される。
【００７５】
インターフェース３８は、上位装置９０（例えば、パソコン）との双方向の通信インターフェースであり、ＡＴＡＰＩ（ＡＴ  Ａｔｔａｃｈｍｅｎｔ  Ｐａｃｋｅｔ  Ｉｎｔｅｒｆａｃｅ）、ＳＣＳＩ（Ｓｍａｌｌ  Ｃｏｍｐｕｔｅｒ  Ｓｙｓｔｅｍ  Ｉｎｔｅｒｆａｃｅ）及びＵＳＢ（Ｕｎｉｖｅｒｓａｌ  Ｓｅｒｉａｌ  Ｂｕｓ）などの標準インターフェースに準拠している。
【００７６】
フラッシュメモリ３９には、ＣＰＵ４０にて解読可能なコードで記述された各種プログラム、記録パワーや記録ストラテジ情報を含む記録条件、及び光源ユニット５１の半導体レーザの発光特性などが格納されている。
【００７７】
ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００７８】
次に、上位装置９０からアクセス要求があったときの、光ディスク装置２０における処理について図１６を用いて簡単に説明する。図１６のフローチャートは、ＣＰＵ４０によって実行される一連の処理アルゴリズムに対応している。
【００７９】
上位装置９０の主制御装置（図示省略）は、ユーザから記録要求があると記録要求コマンドを発行し、再生要求があると再生要求コマンドを発行する。
【００８０】
上位装置９０から記録要求コマンド又は再生要求コマンド（以下、「要求コマンド」と総称する）を受信すると、図１６のフローチャートに対応するプログラムの先頭アドレスがＣＰＵ４０のプログラムカウンタにセットされ、処理がスタートする。
【００８１】
最初のステップ４０１では、所定の線速度（又は角速度）で光ディスク１５が回転するように駆動制御回路２６に指示するとともに、上位装置９０から要求コマンドを受信した旨を再生信号処理回路２８に通知する。
【００８２】
次のステップ４０３では、要求コマンドから指定アドレスを抽出し、その指定アドレスから、対象記録層が記録層Ｌ０であるか記録層Ｌ１であるかを特定する。
【００８３】
次のステップ４０５では、特定された対象記録層に関する情報を駆動制御回路２６などに通知する。
【００８４】
次のステップ４０９では、指定アドレスに対応する目標位置近傍に光スポットが形成されるように、駆動制御回路２６に指示する。これにより、シーク動作が行なわれる。なお、シーク動作が不要であれば、ここでの処理はスキップされる。
【００８５】
次のステップ４１１では、要求コマンドに応じて記録又は再生を許可する。
【００８６】
次のステップ４１３では、記録又は再生が完了したか否かを判断する。完了していなければ、ここでの判断は否定され、所定時間経過後に再度判断する。完了していれば、ここでの判断は肯定され、処理を終了する。
【００８７】
ところで、比較のために、偏光ビームスプリッタ５４で反射された戻り光束が、直接、検出レンズ５８に入射するときの信号光及び迷光の光路が、図１７（対象記録層が記録層Ｌ０の場合）及び図１８（対象記録層が記録層Ｌ１の場合）に示されている。なお、図１７及び図１８では、信号光を実線で示し、迷光を破線で示している。また、±１次光については、煩雑さを避けるため図示を省略している。
【００８８】
図１７に示されるように、対象記録層が記録層Ｌ０の場合には、偏光ビームスプリッタ５４で−Ｚ方向に反射された戻り光束は、信号光が平行光で、迷光が収束光で検出レンズ５８に入射する。迷光は、信号光よりも＋Ｚ側で集光した後、発散した状態で、信号光全体を覆うようにして光検出器５９に入射する。特に、０次光の迷光は、±１次光の受光領域（５９ａ、５９ｃ）にかぶってしまう。従って、迷光が、ＲＦ信号、ウォブル信号及びサ−ボ信号などの検出信号に影響を及ぼすことになる。
【００８９】
また、図１８に示されるように、対象記録層が記録層Ｌ１の場合には、偏光ビームスプリッタ５４で−Ｚ方向に反射された戻り光束は、信号光が平行光で、迷光が発散光で検出レンズ５８に入射する。迷光は、信号光よりも−Ｚ方向に集光するため、信号光全体を覆うようにして光検出器５９に入射する。特に、０次光の迷光は、±１次光の受光領域（５９ａ、５９ｃ）にかぶってしまう。従って、迷光が、ＲＦ信号、ウォブル信号及びサ−ボ信号などの検出信号に影響を及ぼすことになる。
【００９０】
以上の説明から明らかなように、本実施形態に係る光ピックアップ装置２３では、集光レンズ６１と遮蔽板６２と遮蔽板６３とによって、抽出光学系が構成されている。
【００９１】
また、本実施形態に係る光ディスク装置２０では、再生信号処理回路２８と、ＣＰＵ４０及び該ＣＰＵ４０によって実行されるプログラムとによって、処理装置が構成されている。なお、ＣＰＵ４０によるプログラムに従う処理の少なくとも一部をハードウェアによって構成することとしても良いし、あるいは全てをハードウェアによって構成することとしても良い。
【００９２】
また、光ディスク装置２０と上位装置９０とによって、情報処理装置が実現されている。そして、上位装置９０の主制御装置（図示省略）によって、制御装置が実現されている。
【００９３】
以上説明したように、本実施形態に係る光ピックアップ装置２３によると、光源ユニット５１から出射された直線偏光（ここではＰ偏光）の光束は、カップリングレンズ５２、グレーティング７１、偏光ビームスプリッタ５４、１／４波長板５５、及び対物レンズ６０を介して光ディスク１５の対象記録層に複数の微小スポットとして集光される。光ディスク１５からの戻り光束（信号光＋迷光）は、往路と直交した直線偏光（ここではＳ偏光）となって偏光ビームスプリッタ５４に入射する。偏光ビームスプリッタ５４で−Ｚ方向に分岐された戻り光束は、集光レンズ６１で収束光となり、遮蔽板６２に入射する。
【００９４】
信号光は、その大部分が遮蔽板６２及び遮蔽板６３のいずれも透過し、検出レンズ５８で集光され、受光器５９で受光される。迷光は、対象記録層が記録層Ｌ０の場合には、遮蔽板６２の遮光部６２ａによって遮光され、対象記録層が記録層Ｌ１の場合には、遮蔽板６３の遮光部６３ａによって遮光される。このように、戻り光束に含まれる信号光のみが受光器５９で受光されるため、受光器５９からは、Ｓ／Ｎ比の高い光電変換信号が出力されることとなる。従って、複数の記録層を有する光ディスクから所望の信号を精度良く取得することが可能となる。
【００９５】
また、本実施形態に係る光ディスク装置２０によると、Ｓ／Ｎ比の高い光電変換信号が光ピックアップ装置２３から出力されるため、複数の記録層を有する光ディスクへのアクセスを精度良く安定して行うことが可能となる。従って、複数の記録層を有する光ディスクからの情報の再生を精度良く行うことができる。
【００９６】
そして、本実施形態に係る情報処理装置によると、複数の記録層を有する光ディスクに対して、安定したアクセスを行うことが可能となる。
【００９７】
なお、上記実施形態において、前記光ピックアップ装置２３に代えて、図１９に示される光ピックアップ装置２３Ａを用いても良い。この光ピックアップ装置２３Ａでは、前記遮蔽板６２に代えて位相板６５が用いられ、前記遮蔽板６３に代えて位相板６６が用いられ、位相板６６と結像レンズ５８との間に偏光子６９が配置されている。すなわち、集光レンズ６１と位相板６５と位相板６６と偏光子６９とによって、抽出光学系が構成されている。
【００９８】
位相板６５は、対象記録層が記録層Ｌ０のときに、記録層Ｌ１からの迷光が集光する位置に配置されている。この位相板６５は、一例として図２０に示されるように、第１領域６５ａと第２領域６５ｂとを有し、集光レンズ６１の光軸の延長線上に第１領域６５ａが設けられている。また、第１領域６５ａは、集光位置における迷光のビームスポットよりも若干大きくなるように設定されている。第２領域６５ｂは、第１領域６５ａの周囲に設けられている。
【００９９】
第１領域６５ａは、入射する光束に光学的位相差（δ１）を付与し、第２領域６５ｂは、第１領域６５ａとは異なる光学的位相差（δ２）を入射する光束に付与する。
【０１００】
位相板６６は、対象記録層が記録層Ｌ１のときに、記録層Ｌ０からの迷光が集光する位置に配置されている。この位相板６６は、一例として図２１に示されるように、第１領域６６ａと第２領域６６ｂとを有し、集光レンズ６１の光軸の延長線上に第１領域６６ａが設けられている。また、第１領域６６ａは、集光位置における迷光のビームスポットよりも若干大きくなるように設定されている。第２領域６６ｂは、第１領域６６ａの周囲に設けられている。
【０１０１】
第１領域６６ａは、入射する光束に光学的位相差（δ３）を付与し、第２領域６６ｂは、第１領域６６ａとは異なる光学的位相差（δ４）を入射する光束に付与する。
【０１０２】
位相板６５、６６としては、ツイストネマティック型液晶、サブ波長格子、フォトニック結晶、及び水晶などを用いることができる。
【０１０３】
また、検光子６９としては、高分子膜からなる偏光フィルタ、及び方解石などを用いることができる。
【０１０４】
信号光の大部分は、対象記録層が記録層Ｌ０及び記録層Ｌ１のどちらの場合も、位相板６５によりδ２の光学的位相差が付与され、位相板６６によりδ４の光学的位相差が付与される。すなわち、合計で（δ２＋δ４）の光学的位相差が付与される。
【０１０５】
迷光は、対象記録層が記録層Ｌ０の場合には、位相板６５によりδ１の光学的位相差が付与され、位相板６６によりδ４の光学的位相差が付与される。すなわち、合計で（δ１＋δ４）の光学的位相差が付与される。
【０１０６】
また、迷光は、対象記録層が記録層Ｌ１の場合には、位相板６５によりδ２の光学的位相差が付与され、位相板６６によりδ３の光学的位相差が付与される。すなわち、合計で（δ２＋δ３）の光学的位相差が付与される。
【０１０７】
そこで、（δ１＋δ４）＝（δ２＋δ３）≠（δ２＋δ４）、となるように、各光学的位相差を設定することにより、検光子６９に入射する光束の偏光状態を、迷光と信号光とで互いに異ならせることができる。そして、検光子６９の透過光軸方位を、迷光を遮光するように設定することにより、迷光が光検出器５９に入射しないようにできる。
【０１０８】
（１）δ１＝δ３＝０、δ２＝δ４＝λ／２の場合
【０１０９】
ここでは、第２領域６５ｂ及び第２領域６６ｂの光学軸方位は、偏光ビームスプリッタ５４で反射される光（Ｓ偏光）に対して４５度傾斜した方向に設定されている。
【０１１０】
信号光に付与される光学的位相差は、δ２＋δ４＝λ／２＋λ／２＝λである。
【０１１１】
迷光に付与される光学的位相差は、対象記録層が記録層Ｌ０のときは、δ１＋δ４＝０＋λ／２＝λ／２であり、対象記録層が記録層Ｌ１のときは、δ２＋δ３＝λ／２＋０＝λ／２である。
【０１１２】
偏光ビームスプリッタ５４で反射されたときの信号光は、Ｓ偏光であり、２つの位相差板（６５、６６）により、λの光学的位相差が与えられる。そこで、検光子６９に入射するときの信号光は、Ｓ偏光のままである。
【０１１３】
偏光ビームスプリッタ５４で反射されたときの迷光は、Ｓ偏光であり、２つの位相差板（６５、６６）により、Ｓ偏光に対し光学軸方位４５°でλ／２の光学的位相差が与えられる。そこで、検光子６９に入射するときの迷光は、Ｐ偏光となっている。
【０１１４】
なお、δ１＝δ３＝ｎλ（ｎは整数）であっても良い。
【０１１５】
（２）δ１＝δ３＝λ／２、δ２＝δ４＝０の場合
【０１１６】
ここでは、第１領域６５ａ及び第１領域６６ａの光学軸方位は、偏光ビームスプリッタ５４で反射される光（Ｓ偏光）に対して４５度傾斜した方向に設定されている。
【０１１７】
信号光に付与される光学的位相差は、δ２＋δ４＝０＋０＝０である。
【０１１８】
迷光に付与される光学的位相差は、対象記録層が記録層Ｌ０のときは、δ１＋δ４＝λ／２＋０＝λ／２であり、対象記録層が記録層Ｌ１のときは、δ２＋δ３＝０＋λ／２＝λ／２である。
【０１１９】
２つの位相差板（６５、６６）により信号光に付与される光学的位相差は０である。そこで、検光子６９に入射するときの信号光は、Ｓ偏光のままである。
【０１２０】
２つの位相差板（６５、６６）により迷光に付与される光学的位相差はλ／２である。そこで、検光子６９に入射するときの迷光は、Ｐ偏光となっている。
【０１２１】
なお、δ２＝δ４＝ｎλ（ｎは整数）であっても良い。
【０１２２】
（３）δ１＝＋λ／４、δ２＝−λ／４、δ３＝−λ／４、δ４＝＋λ／４の場合
【０１２３】
ここでは、第１領域６５ａ、第２領域６５ｂ、第１領域６６ａ、及び第２領域６６ｂの光学軸方位は、偏光ビームスプリッタ５４で反射される光（Ｓ偏光）に対して４５度傾斜した方向に設定されている。
【０１２４】
信号光に付与される光学的位相差は、δ２＋δ４＝−λ／４＋λ／４＝０である。
【０１２５】
迷光に付与される光学的位相差は、対象記録層が記録層Ｌ０のときは、δ１＋δ４＝＋λ／４＋λ／４＝λ／２であり、対象記録層が記録層Ｌ１のときは、δ２＋δ３＝−λ／４−λ／４＝−λ／２である。
【０１２６】
２つの位相差板（６５、６６）により信号光に付与される光学的位相差は０である。そこで、検光子６９に入射するときの信号光は、Ｓ偏光のままである。
【０１２７】
２つの位相差板（６５、６６）により迷光に付与される光学的位相差は±λ／２である。そこで、検光子６９に入射するときの迷光は、Ｐ偏光となっている。
【０１２８】
（１）〜（３）のように、２つの位相板（６５、６６）を透過することにより、迷光と信号光の偏光状態は互いに直交することになり、検光子６９の透過光軸をＳ偏光が透過されるように設定すれば、信号光のみが検光子６９を透過し、受光器５９で受光される。
【０１２９】
従って、上記実施形態と同様な効果を得ることができる。
【０１３０】
なお、上記実施形態では、対物レンズ６０が無限系である場合について説明したが、これに限らず、対物レンズ６０が有限系であっても良い。この場合であっても、上記実施形態及び各変形例と同じ構成で信号光を効率良く抽出することができる。
【０１３１】
また、上記実施形態では、情報の記録及び再生が可能な光ディスク装置について説明したが、これに限らず、情報の記録、再生及び消去のうち、少なくとも情報の再生が可能な光ディスク装置であれば良い。
【０１３２】
また、上記実施形態では、光ディスクが２つの記録層を有する場合について説明したが、これに限らず、３つ以上の記録層を有していてもよい。例えば対象記録層が２つの記録層に挟まれていると、戻り光束には、信号光の集光位置よりも手前で集光する迷光と、信号光の集光位置よりも遠方で集光する迷光とが含まれることとなるが、この場合でも、信号光を効率良く抽出することができる。
【０１３３】
また、上記実施形態では、光ディスクがＨＤ  ＤＶＤ系の場合について説明したが、これに限らず、光ディスクがＣＤ系、ＤＶＤ系，及びＢｌｕ−ｒａｙに対応した次世代の情報記録媒体であっても良い。
【０１３４】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。この場合に、少なくともいずれかの光ディスクが複数の記録層を有する光ディスクであっても良い。
【産業上の利用可能性】
【０１３５】
以上説明したように、本発明の抽出光学系によれば、信号光と迷光とを含む光束から信号光を効率良く抽出するのに適している。また、本発明の光ピックアップ装置によれば、複数の記録層を有する光ディスクから所望の信号を精度良く取得するのに適している。また、本発明の光ディスク装置によれば、複数の記録層を有する光ディスクへのアクセスを精度良く安定して行うのに適している。また、本発明の情報処理装置によれば、複数の記録層を有する光ディスクに対して、安定したアクセスを行うのに適している。
【図面の簡単な説明】
【０１３６】
【図１】光ディスク装置の構成を示すブロック図である。
【図２】図１における光ディスクの構造を説明するための図である。
【図３】図１における光ピックアップ装置を説明するための図である。
【図４】図４（Ａ）及び図４（Ｂ）は、それぞれ信号光及び迷光を説明するための図である。
【図５】図３における遮蔽板６２を説明するための図である。
【図６】図３における遮蔽板６３を説明するための図である。
【図７】信号光及び迷光の集光位置を説明するための図である。
【図８】遮蔽板６２と遮蔽板６３を一体的に保持する保持部材を説明するための図である。
【図９】各遮蔽板の変形例１を説明するための図である。
【図１０】各遮蔽板の変形例２を説明するための図である。
【図１１】図３における受光器を説明するための図である。
【図１２】対象記録層が記録層Ｌ０の場合の、信号光及び迷光の光路を説明するための図である。
【図１３】対象記録層が記録層Ｌ１の場合の、信号光及び迷光の光路を説明するための図である。
【図１４】信号処理回路で取得される±１次光による差動プッシュプル信号を説明するための図である。
【図１５】従来取得されていた±１次光による差動プッシュプル信号を説明するための図である。
【図１６】上位装置からアクセス要求を受信したときの光ディスク装置での処理を説明するためのフローチャートである。
【図１７】抽出光学系がないときの、対象記録層が記録層Ｌ０の場合の、信号光及び迷光の光路を説明するための図である。
【図１８】抽出光学系がないときの、対象記録層が記録層Ｌ１の場合の、信号光及び迷光の光路を説明するための図である。
【図１９】図１における光ピックアップ装置の変形例を説明するための図である。
【図２０】図１９における位相板６５を説明するための図である。
【図２１】図１９における位相板６６を説明するための図である。
【図２２】図１９の光ピックアップ装置での、対象記録層が記録層Ｌ０の場合の、信号光及び迷光の光路を説明するための図である。
【図２３】図１９の光ピックアップ装置での、対象記録層が記録層Ｌ１の場合の、信号光及び迷光の光路を説明するための図である。
【符号の説明】
【０１３７】
１５…光ディスク、２０…光ディスク装置、２３…光ピックアップ装置、２３Ａ…光ピックアップ装置、２８…再生信号処理回路（処理装置の一部）、４０…ＣＰＵ（処理装置の一部）、５１…光源ユニット、５２…カップリングレンズ、５４…偏光ビームスプリッタ、５５…１／４波長板、５８…検出レンズ、５９…受光器、６０…対物レンズ、６１…集光レンズ、６２…遮蔽板、６２ａ…遮光部（第１の領域）、６２ｂ…透過部（第２の領域）、６３…遮蔽板、６３ａ…遮光部（第１の領域）、６３ｂ…透過部（第２の領域）、６５…位相板、６６…位相板、６６ａ…第１領域（第１の領域）、６９…偏光子、７１…グレーティング、Ｌ０…記録層（複数の記録層の一部）、Ｌ１…記録層（複数の記録層の一部）。
【図１】
2009070437.tif 000003
【図２】
2009070437.tif 000004
【図３】
2009070437.tif 000005
【図４】
2009070437.tif 000006
【図５】
2009070437.tif 000007
【図６】
2009070437.tif 000008
【図７】
2009070437.tif 000009
【図８】
2009070437.tif 000010
【図９】
2009070437.tif 000011
【図１０】
2009070437.tif 000012
【図１１】
2009070437.tif 000013
【図１２】
2009070437.tif 000014
【図１３】
2009070437.tif 000015
【図１６】
2009070437.tif 000016
【図１７】
2009070437.tif 000017
【図１８】
2009070437.tif 000018
【図１９】
2009070437.tif 000019
【図２０】
2009070437.tif 000020
【図２１】
2009070437.tif 000021
【図２２】
2009070437.tif 000022
【図２３】
2009070437.tif 000023
【図１４】
2009070437.tif 000024
【図１５】
2009070437.tif 000025